(57)【要約】【課題】移動通信端末の電源制御を自動的に設定することができ、また、電源断時の着信もユーザーに知らせることのできる電源制御システムを提供すること。【解決手段】移動通信端末１０、基地局２０および管理センター４０とで構成される移動通信システムにおいて、前記管理センター４０に設けられ、前記移動通信端末１０が利用されている時間帯情報を含む利用状況情報を収集する手段５１と、この手段により得られた利用状況情報を用いて前記移動通信端末１０の電源断を行う時間帯を算出する利用状況診断手段５３と、前記移動通信端末１０に設けられ、前記利用状況診断手段５３により得られた電源断を行う時間帯に前記移動通信端末１０の電源制御を行う手段１４と、前記管理センター４０に設けられ、前記電源断中の移動通信端末１０に対して着信があった場合にはその着信履歴を作成し、前記移動通信端末が電源断を終了したときに、前記着信履歴を前記移動通信端末に送る着信履歴管理手段５７とを備える。【選択図】図１
2005079636.tif 000002
【特許請求の範囲】
【請求項１】
移動通信端末、基地局および管理センターとで構成される移動通信システムにおいて、前記管理センターに設けられ、前記移動通信端末が利用されている時間帯情報を含む利用状況情報を収集する手段と、この手段により得られた利用状況情報を用いて前記移動通信端末の電源断を行う時間帯を算出する利用状況診断手段と、前記移動通信端末に設けられ、前記利用状況診断手段により得られた電源断を行う時間帯に前記移動通信端末の電源制御を行う手段と、前記管理センターに設けられ、前記電源断中の移動通信端末に対して着信があった場合にはその着信履歴を作成し、前記移動通信端末が電源断を終了したときに、前記着信履歴を前記移動通信端末に送る着信履歴管理手段とを備えることを特徴とする移動通信端末の電源制御システム。
【請求項２】
移動通信端末、この移動通信端末をサービスエリア内に含む基地局、前記移動通信端末および前記基地局を管理する管理センターとで構成される移動通信システムにおいて、
前記センターは移動通信端末の通信利用状況を把握し保存する手段と、この手段により保存した利用状況情報を診断し前記移動通信端末が利用されていない時間帯を電源断時間とする診断結果を格納する手段と、この手段により格納した診断結果を、前記基地局に送信する手段と、前記移動通信端末の電源断中にこの移動通信端末に着信する着信履歴を収集し格納する手段と、この手段により格納された前記着信履歴を、前記移動通信端末が電源断を終了したとき前記基地局に送信する手段を具備しており、
前記基地局は前記診断結果情報を受信し、これを前記移動通信端末に送信する手段と、前記着信履歴情報を受信し、これを前記移動通信端末に送信する手段を具備しており、
前記移動通信端末は前記基地局より送信される前記診断結果情報を受信し格納する診断結果格納手段と、この手段により受信した前記診断結果情報を表示する診断結果表示手段と、前記診断結果情報に基づき前記移動通信端末に対して電源断制御を行う診断結果反映手段と、前記基地局より送信される前記着信履歴情報を受信し格納する着信履歴格納手段と、この手段により格納された前記着信履歴情報を表示する着信履歴表示手段と、電源断制御を終了し電源を再投入したときに位置登録を行う手段とを具備していることを特徴とする移動通信端末の電源制御システム。
【請求項３】
基地局から送信されてくる診断結果を受信する手段と、この手段により受信した診断結果をＵＳＩＭカードを含むメモリに格納する手段と、この手段により格納された診断結果情報の内容を表示する手段と、前記格納した診断結果に基づき移動通信端末の電源断制御を行う手段と、前記基地局より送信されてくる着信履歴を受信し格納する手段と、この手段により格納した着信履歴情報の内容を表示する手段と、電源断を終了し電源を再投入したときに位置登録を行う手段とを有することを特徴とする移動通信端末。
【請求項４】
移動通信端末ユーザーの利用状況情報を格納する手段と、この手段により格納された一定期間毎の利用状況情報を診断し、前記移動通信端末ユーザー毎の利用時間帯を把握し電源断を行う時間帯を割り出す診断手段と、この手段により診断した結果を格納し基地局に送信する手段と、前記移動通信端末が電源断中に着信があった場合の着信履歴を収集し格納する手段と、前記移動通信端末が電源断を終了して位置登録を行った後、前記着信履歴を前記移動通信端末をエリア内に含む基地局に送信する手段とを有することを特徴とする移動通信端末管理センター。
【請求項５】
移動通信端末と基地局を管理するセンターで各ユーザーの利用状況情報を格納し、一定期間内の利用状況情報を診断し利用時間帯を把握し、これに基づいて電源制御を行う時間帯を割り出すことを特徴とする移動通信端末の電源制御実行時間算出方法。
【請求項６】
移動通信端末、基地局および管理センターとで構成される移動通信システムにおいて、
前記センターは、移動通信端末の通信利用状況を把握しそれを保存するステップと、保存した利用状況情報を診断し、診断結果を前記基地局に送信するステップと、電源断中の着信履歴を収集し格納し、移動通信端末が電源断を終了すると着信履歴を、当該移動通信端末がエリア内に含まれる基地局に送信するステップとを備え、
前記基地局は、前記診断結果情報を受信し前記移動通信端末に送信するステップと、前記着信履歴情報を受信し前記移動通信端末に送信するステップとを備え、
前記移動通信端末は、前記基地局より送信される前記診断結果情報を受信し格納するステップと、前記診断結果情報の内容を表示し、前記診断結果情報に基づき、移動通信端末の利用されていない時間帯に移動通信端末の電源断を行うステップと、前記基地局より送信される前記着信履歴情報を受信し格納するステップと、前記着信履歴情報を表示するステップと、電源断を終了し電源を再投入したときに位置登録を行うステップとを備えたことを特徴とする移動通信端末電源制御方法。
【発明の詳細な説明】
【技術分野】
【０００１】
本発明は移動通信端末、基地局およびセンターで構成される移動通信システムに関し、特に移動通信端末の利用状況診断及びそれに基づく移動通信端末の電源制御システムに関するものである。
【背景技術】
【０００２】
従来移動通信端末の節電等を目的とする電源制御は、ユーザーの手で移動通信端末の電源キーを押下して電源のオンオフを行っていた（特許文献１〜３参照）。この方法はユーザーの手動で行うため、電源を入れ忘れるなどの欠点がある。この欠点を解決するべく、タイマー設定により自動的に電源のオンオフを行うと、予め設定された時間に電源が切断されるため、切断されている間の着信を知ることができないデメリットがある。
【特許文献１】特願平8-257248  (高速移動時に間欠受信によるＰＳのバッテリーセービング)
【特許文献２】特開2001-036673  (最適料金プラン通知)
【特許文献３】特開2002-158767  （ＰＳの電源入/切の時間をユーザー操作により自在に設定できる）
【発明の開示】
【発明が解決しようとする課題】
【０００３】
前記のごとく、従来技術では移動通信端末の電源制御をユーザーが手動で行っているため、電源の投入あるいは電源の切断を失念することが多く、また、電源オンオフのタイミングを常に気遣わなければならないという煩わしさがあった。ユーザーが電源の切断を失念した場合には、移動通信端末が利用されていない間も常に起動しているため、無駄に電力を消費する結果、いざ使用したいときに使用できない恐れがあった。さらに、従来の電源制御方式においては、電源が切断されている間に着信があっても、ユーザーは着信があったことを知ることができないという問題もあった。
【０００４】
そこで、本発明はこのような問題点を除去し、ユーザーが意識することなく自動的に移動通信端末の電源断を行うことができ、かつ、電源断時の着信もユーザーに知らせることのできる移動通信端末の電源制御システムを提供することを目的とする。
【課題を解決するための手段】
【０００５】
本発明の移動通信端末の電源制御システムは、移動通信端末、基地局および管理センターとで構成される移動通信システムにおいて、前記管理センターに設けられ、前記移動通信端末が利用されている時間帯情報を含む利用状況情報を収集する手段と、この手段により得られた利用状況情報を用いて前記移動通信端末の電源断を行う時間帯を算出する利用状況診断手段と、前記移動通信端末に設けられ、前記利用状況診断手段により得られた電源断を行う時間帯に前記移動通信端末の電源制御を行う手段と、前記管理センターに設けられ、前記電源断中の移動通信端末に対して着信があった場合にはその着信履歴を作成し、前記移動通信端末が電源断を終了したときに、前記着信履歴を前記移動通信端末に送る着信履歴管理手段とを備えることを特徴とする。
【０００６】
また、本発明の移動通信端末の電源制御システムは、移動通信端末、この移動通信端末をサービスエリア内に含む基地局、前記移動通信端末および前記基地局を管理する管理センターとで構成される移動通信システムにおいて、
前記センターは移動通信端末の通信利用状況を把握し保存する手段と、この手段により保存した利用状況情報を診断し前記移動通信端末が利用されていない時間帯を電源断時間とする診断結果を格納する手段と、この手段により格納した診断結果を、前記基地局に送信する手段と、前記移動通信端末の電源断中にこの移動通信端末に着信する着信履歴を収集し格納する手段と、この手段により格納された前記着信履歴を、前記移動通信端末が電源断を終了したとき前記基地局に送信する手段を具備しており、
前記基地局は前記診断結果情報を受信し、これを前記移動通信端末に送信する手段と、前記着信履歴情報を受信し、これを前記移動通信端末に送信する手段を具備しており、
前記移動通信端末は前記基地局より送信される前記診断結果情報を受信し格納する診断結果格納手段と、この手段により受信した前記診断結果情報を表示する診断結果表示手段と、前記診断結果情報に基づき前記移動通信端末に対して電源断制御を行う診断結果反映手段と、前記基地局より送信される前記着信履歴情報を受信し格納する着信履歴格納手段と、この手段により格納された前記着信履歴情報を表示する着信履歴表示手段と、電源断制御を終了し電源を再投入したときに位置登録を行う手段とを具備していることを特徴とする。
【０００７】
また、本発明の移動通信端末は、基地局から送信されてくる診断結果を受信する手段と、この手段により受信した診断結果をＵＳＩＭカードを含むメモリに格納する手段と、この手段により格納された診断結果情報の内容を表示する手段と、前記格納した診断結果に基づき移動通信端末の電源断制御を行う手段と、前記基地局より送信されてくる着信履歴を受信し格納する手段と、この手段により格納した着信履歴情報の内容を表示する手段と、電源断を終了し電源を再投入したときに位置登録を行う手段とを有することを特徴とする。
【０００８】
また、本発明の移動通信端末管理センターは、移動通信端末ユーザーの利用状況情報を格納する手段と、この手段により格納された一定期間毎の利用状況情報を診断し、前記移動通信端末ユーザー毎の利用時間帯を把握し電源断を行う時間帯を割り出す診断手段と、この手段により診断した結果を格納し基地局に送信する手段と、前記移動通信端末が電源断中に着信があった場合の着信履歴を収集し格納する手段と、前記移動通信端末が電源断を終了して位置登録を行った後、前記着信履歴を前記移動通信端末をエリア内に含む基地局に送信する手段とを有することを特徴とする。
【０００９】
また、本発明の移動通信端末の電源制御実行時間算出方法は、移動通信端末と基地局を管理するセンターで各ユーザーの利用状況情報を格納し、一定期間内の利用状況情報を診断し利用時間帯を把握し、これに基づいて電源制御を行う時間帯を割り出すことを特徴とする。
【００１０】
また、本発明の移動通信端末電源制御方法は、移動通信端末、基地局および管理センターとで構成される移動通信システムにおいて、
前記センターは、移動通信端末の通信利用状況を把握しそれを保存するステップと、保存した利用状況情報を診断し、診断結果を前記基地局に送信するステップと、電源断中の着信履歴を収集し格納し、移動通信端末が電源断を終了すると着信履歴を、当該移動通信端末がエリア内に含まれる基地局に送信するステップとを備え、
前記基地局は、前記診断結果情報を受信し前記移動通信端末に送信するステップと、前記着信履歴情報を受信し前記移動通信端末に送信するステップとを備え、
前記移動通信端末は、前記基地局より送信される前記診断結果情報を受信し格納するステップと、前記診断結果情報の内容を表示し、前記診断結果情報に基づき、移動通信端末の利用されていない時間帯に移動通信端末の電源断を行うステップと、前記基地局より送信される前記着信履歴情報を受信し格納するステップと、前記着信履歴情報を表示するステップと、電源断を終了し電源を再投入したときに位置登録を行うステップとを備えたことを特徴とする。
【００１１】
さらに、本発明の移動通信端末の電源制御システムは、移動通信端末の利用状況に関する情報(課金に使う情報等)を収集し格納する手段、格納された利用状況情報を一定期間毎にどのような利用状況になっているか診断する(前回の診断結果も今回にフィードバックする)手段、その利用状況診断結果を格納する手段、利用診断結果を該当する移動通信端末が現在いる基地局に送信する手段、電源断中の移動通信端末に着信があった場合の着信履歴（どこからいつ着信があったのかという情報）を管理し、電源断が終了し、電源投入になったときに移動通信端末が位置登録されたことを監視する手段、着信履歴を移動通信端末に通知する手段を持ったセンター、センターより送られてくる利用状況診断結果を受信し、その利用状況診断結果を該当する移動通信端末に送信する手段、利用情報診断結果と同様に着信履歴を受信し、移動通信端末に送信する手段を持った基地局、基地局より送られてくる利用状況診断結果を受信し、記憶媒体(ＵＳＩＭカード、メモリ等)に格納する手段、利用状況診断結果を表示させる手段、利用状況診断結果を反映させて移動通信端末の電源断を行う手段、電源投入時に位置登録を行う手段、着信履歴を受信し着信履歴を通知する手段を持った移動通信端末、それらによって構成されるシステムである。
【００１２】
上記本発明のシステムでは、センターが移動通信端末の利用状況を診断し、その結果に基づいて移動通信端末が電源断をするようにしているので、非常に効率の良い電源制御をすることができる。また、電源断中の着信をセンターが管理することにより、ユーザーが知ることができる。
【発明の効果】
【００１３】
本発明によれば、ユーザーが移動通信端末を利用していない時間を電源制御実行時間帯に自動設定できるため、バッテリーの使用効率が高く、ユーザーの利便性も高い。
【００１４】
また、電源断中に着信があった場合には電源断終了時にその着信履歴が確認でき、電源断による着信不能を回避することができる。
【発明を実施するための最良の形態】
【００１５】
以下に本発明の実施の形態について図面を参照して説明する。
【００１６】
(構成について)
図１は本発明が適用される移動通信システムの一例である、ＰＨＳシステムの概略構成を示すブロック図である。このシステムはＰＨＳ端末１０、このＰＨＳ端末１０と無線により接続できるＰＨＳ基地局２０、このＰＨＳ基地局２０と公衆網３０を介して接続するセンター４０、このセンター内に置かれたユーザー利用状況管理部５０とで構成される。ここで、ＰＨＳ端末１０及びＰＨＳ基地局２０は他にも多数存在しているが、ここでは代表して特定の一端末、一基地局を例として説明する。
【００１７】
（端末内部構成）
前記ＰＨＳ端末１０は通常のＰＨＳ電話通信手段を有するがその他に、利用状況診断結果格納部１１、利用状況診断結果表示部１２、設定結果送信部１３、利用状況診断結果反映部１４、着信履歴格納部１５、着信履歴表示部１６、位置登録部１７を有している。ここで、利用状況診断結果格納部１１は、ＰＨＳ基地局２０から送られてくる利用情報診断結果を格納する記憶手段である。利用状況診断結果表示部１２は、利用状況診断結果格納部１１に格納された利用情報診断結果の電源断実行時間帯をディスプレイに表示する表示手段である。設定結果送信部１３はユーザーがディスプレイに表示された電源断実行時間帯を確認し、電源断を行っても良いかどうかを判断してもらった結果をＰＨＳ基地局２０に送信する通知手段である。利用状況診断結果反映部１４は、利用状況診断結果格納部１１に格納された利用状況診断結果に基づき、該当時間帯の電源制御を行う処理手段である。着信履歴格納部１５はＰＨＳ基地局２０から送られてくる着信履歴を格納する記憶手段である。着信履歴表示部１６は、着信履歴格納部１５に格納された着信履歴をディスプレイに表示する表示手段である。位置登録部１７は電源投入時に位置登録を行う処理手段である。
【００１８】
（基地局内部構成）
前記ＰＨＳ基地局２０は一般的なＰＨＳ基地局手段を有する他に、利用状況診断結果通信部２１、設定結果通信部２２、着信履歴通信部２３を有している。ここで、利用状況診断結果通信部２１はセンター４０から送られてくる利用診断結果を受信し、ＰＨＳ端末１０に送信する通知手段である。設定結果通信部２２はＰＨＳ端末１０から送られてくる設定結果を受信し、センターに送信する通知手段である。着信履歴通信部２３はセンター４０から送られてくる着信履歴を受信し、ＰＨＳ端末１０に送信する通知手段である。
【００１９】
（センター内部構成）
前記ユーザー利用状況管理部５０は複数のＰＨＳ基地局と公衆網３０を介して接続するセンター４０内に置かれており、センターとしての一般的な手段の他に、利用状況情報収集部５１、利用状況診断契機判定部５２、利用状況診断部５３、利用状況診断結果格納部５４、利用状況診断結果送信部５５、設定結果格納部５６、着信履歴管理部５７、位置登録管理部５８、着信履歴送信部５９を有している。利用状況情報収集部５１はＰＨＳ端末１０が通信を行ったときに、利用時間帯に関する情報を収集し格納する処理手段である。利用状況診断契機判定部５２は利用状況診断を行うタイミングを監視している監視手段である。利用状況診断部５３は利用状況情報をもとに該当移動通信端末が通信した時間帯を調べ、それより、電源断を行う時間帯を算出する処理手段である。利用状況診断結果格納部５４は利用状況診断部で診断した結果を格納する記憶手段である。利用状況診断結果送信部５５はＰＨＳ基地局２０に対して利用状況診断結果を送信する通知手段である。設定結果格納部５６はＰＨＳ基地局２０より送信される設定結果を受信し格納する記憶手段である。着信履歴管理部５７はＰＨＳ端末１０が電源断中かどうかを判断し、そのときにあった着信を収集し格納する処理手段である。位置登録管理部５８はＰＨＳ端末１０が電源投入し位置登録を行ったかどうかを監視する処理手段である。着信履歴送信部５９は、ＰＨＳ基地局２０に対して着信履歴を送信する通知手段である。
【００２０】
(処理の流れについて)
次にこのように構成されたＰＨＳシステムにおける電源制御のための情報処理の流れを図２〜図７、図１３〜図１６を用いて説明する。
【００２１】
（利用状況診断結果反映までの処理について）
図２はＰＨＳシステムの利用状況診断から利用状況診断結果反映までのシステム全体の処理の流れについて示すシーケンスであり、図３はセンター４０の処理の流れを示すフローチャートである。図３に示されるように、ユーザー利用状況管理部５０は、利用状況情報収集部５１にてＰＨＳ端末１０の利用状況情報を収集しており（ステップＳ５０１）、収集期間が一定期間経過すると利用状況診断契機判定部５２にて診断契機と判定し（ステップＳ５０２）、利用状況診断部５３で利用状況(通信使用時間帯)を診断し、電源断実行時間帯の算出を行う（ステップＳ５０３）。
【００２２】
図１５（Ａ）は収集されたＰＨＳ端末１０の利用状況情報の一例を示す表であり、図１６はステップＳ５０３におけるさらに具体的な処理を説明するためのフローチャートである。この利用状況情報は、例えば１カ月間における毎日のＰＨＳ端末１０の利用状況を時間とともに示すものである。利用状況診断部５３は利用状況情報を利用時間でソートを行い、図１５（Ｂ）に示すようなソート後の利用状況情報を得る(ステップＳ６０１)。この情報は、１カ月間におけるＰＨＳ端末１０の利用状況を１日間の時間帯毎に記録したものである。利用状況診断部５３はソートされた利用状況情報の通信終了時間と次の通信の開始時間との間が、一時間以上あるかどうかを判断する(ステップＳ６０２)。一時間以上間がある場合には、その間の時間を電源断実行時間帯にする(ステップＳ６０３)。次の通信履歴の通信開始時間に着目する(ステップＳ６０４)。次の通信履歴に関しても通信終了時間と開始時間との差を見て、電源断実行時間帯かを判断する。通信履歴の最後の通信終了時間と最初の開始時間との間を確認したら電源断実行時間帯算出を終了する(ステップＳ６０５)。
【００２３】
図３のステップＳ５０３で作成された利用状況診断結果は利用状況診断結果格納部５４に格納される（ステップＳ５０４）。利用状況診断結果送信部５５は利用状況診断結果格納部５４に格納されている前回の利用状況診断結果より、現在時刻がＰＨＳ端末１０の電源断を行っていない時間であることを確認した上で、図２に示されるように、該当ＰＨＳ端末１０をそのサービスエリア内に含むＰＨＳ基地局２０に、ステップＳ５０４で格納された利用状況診断結果を送信する（ステップＳ５０５）。また、ステップＳ５０４で格納された今回の利用状況診断結果は、次回のステップＳ５０３での診断の利用状況情報のひとつとなる。利用状況診断結果送信後は設定結果を受信待ち（ステップＳ５０６待ち）しながら、再び収集からの処理を繰り返す。
【００２４】
図４はＰＨＳ基地局２０の処理の流れを示すフローチャートである。図３のステップＳ５０５で該当ＰＨＳ基地局２０に送信された利用状況診断結果は、利用状況診断結果通信部２１で受信し（ステップＳ２０１）、図２に示されるように、受信された利用状況診断結果は、利用状況診断結果通信部２１で該当ＰＨＳ端末１０に送信される（ステップＳ２０２）。なお、センター４０、ＰＨＳ基地局２０、ＰＨＳ端末１０間の利用状況診断結果の通信処理に関するシーケンスは図６に示されている。
【００２５】
図５はＰＨＳ端末１０の処理の流れを示すフローチャートである。ステップＳ２０２（図４）で送信された利用状況診断結果は、利用状況診断結果格納部１１で受信され（ステップＳ１０１）、利用状況診断結果格納部１１に格納される（ステップＳ１０２）。ステップＳ１０２で格納された利用状況診断結果は、利用状況診断結果表示部１２にて、図１３に示されるように、該当ＰＨＳ端末１０が電源断を実行する時間帯を表示する（ステップＳ１０３）。なお、この表示方法はディスプレイ表示でも音声ガイダンス通知などどれでも良い。ステップＳ１０３で表示された時間帯で電源断を行ってもかまわないかどうかの判断を図１４に示すような画面を用いてユーザーが行いキー入力する（ステップＳ１０４）。電源断を行ってもよい場合には利用状況診断結果に基づき電源制御を行い、不可の場合は電源制御を行わない。ステップＳ１０４でユーザーに判断された結果は設定結果として、図２に示されるように、設定結果送信部１３よりＰＨＳ基地局２０に送信される（ステップＳ１０５）。ＰＨＳ基地局２０に送信された設定結果はＰＨＳ基地局２０の設定結果通信部２２で受信し（図４のステップＳ２０３）、受信された設定結果は、図２に示されるように、センター４０に送信される（ステップＳ２０４）。センター４０における設定結果格納部５６（図１）は図４のステップＳ２０４でＰＨＳ端末２０から送信されてくる設定結果を受信し格納する（ステップＳ５０６）。なお、センター４０、ＰＨＳ基地局２０、ＰＨＳ端末１０間の設定結果の通信処理に関するシーケンスは図７に示されている。
【００２６】
ＰＨＳ端末１０における利用状況診断結果反映部１４（図１）は図５におけるステップＳ１０２で格納した利用状況診断結果に基づき、電源断開始時刻になったとき（ステップＳ１０６）、ＰＨＳ端末１０の電源断を行い（ステップＳ１０７）、電源断終了時刻（電源入開始時刻）になったとき（ステップＳ１０８）、該当ＰＨＳ端末１０の電源投入を行う（ステップＳ１０９）。新しい利用状況診断結果が送られてきているかどうかを利用状況診断結果格納部１１で判定し（ステップＳ１１０）、送られてきていない場合は現在の診断結果に基づいた実行時間で電源制御を行う。送られてきた場合は前記同様に、新しい利用状況診断結果を受信する。利用状況診断結果は利用状況診断結果送信部５５が利用状況診断結果をみて、電源断時間には送らないようにしているので、ＰＨＳ端末１０が受信できるようになっている。また、もし、利用状況診断結果が送信に失敗した場合は、時間を置いてから再度送信する。
【００２７】
（着信履歴処理について）
ＰＨＳ端末１０が本電源制御によって電源断となっている時に、着信があった場合の処理について図８乃至図１２により説明する。すなわち、図８は移動通信端末の電源断中の着信履歴通知のシステム全体の流れを示すシーケンス図、図９はセンター４０における処理の流れを示すフローチャート、図１０はＰＨＳ基地局２０における処理の流れを示すフローチャート、図１１はＰＨＳ端末１０における処理の流れを示すフローチャート、図１２はセンター４０、ＰＨＳ基地局２０、ＰＨＳ端末１０間の通信処理に関するシーケンスを示す図である。
【００２８】
図９に示されるように、ＰＨＳ端末１０が電源断中かどうかの判断はセンター４０の着信履歴管理部５７が行う（ステップＳ５１１）。着信履歴管理部５７は設定結果格納部５６に格納されている設定結果が電源制御設定がＯＮであることを示し、かつ、利用状況診断結果格納部５４に格納されている利用状況診断結果の電源断時間帯に現在時刻がある場合にＰＨＳ端末１０が電源断中と判断する。着信履歴管理部５７はまた、電源断中の着信履歴を収集している（ステップＳ５１２）。図１１に示されるように、電源断時間が終了しＰＨＳ端末１０の電源投入が行われると（ステップＳ１１１）、ＰＨＳ端末１０の位置登録部１７にて位置登録が行われる（ステップＳ１１２）。センター４０の位置登録管理部５８は、図９に示すように、ＰＨＳ端末１０が電源断終了時間に電源投入し位置登録を行ったかどうかを判別し（ステップＳ５１３）、位置登録が行われた場合には着信履歴送信部５９は、図８に示すように、着信履歴管理部５７で収集した着信履歴をＰＨＳ基地局２０に送信する（ステップＳ５１４）。
【００２９】
ステップＳ５１４でＰＨＳ基地局２０に送信された着信履歴は、図１０に示されるように、着信履歴通信部２３で受信され（ステップＳ２１１）、ＰＨＳ端末１０に向けて送信される（ステップＳ２１２）。
【００３０】
ステップＳ２１２でＰＨＳ端末１０に送信された着信履歴は、図１１に示されるように、着信履歴格納部１５で受信され（ステップＳ１１３）、着信履歴格納部１５に格納される（ステップＳ１１４）。ステップＳ１１４で格納された着信履歴は着信履歴表示部１６で表示される（ステップＳ１１５）。なお、前述したように、表示方法はディスプレイ表示でも音声ガイダンス通知などでもよい。
【００３１】
（通信処理部の説明）
利用状況診断結果をセンター４０からＰＨＳ基地局２０を介してＰＨＳ端末１０に送る通信処理は、社団法人電波産業会  第二世代コードレス電話システム  ＲＣＲ  ＳＴＤ−２８と社団法人電信電話技術委員会  ＴＴＣ標準  ＪＴ−Ｑ９３１−ｂ  ＰＨＳ公衆用基地局−デジタル網間  インターフェース  レイヤ３仕様に準拠している。ＰＨＳ端末１０とＰＨＳ基地局２０の間の無線上で送受信される呼制御メッセージ（社団法人電波産業会  第二世代コードレス電話システム  ＲＣＲ  ＳＴＤ−２８準拠）にはメッセージ名の先頭にＣＣ（Ｃａｌｌ  Ｃｏｎｔｒｏｌ）、ＰＨＳ基地局２０とセンター４０の間の有線上で送受信される回線交換モード接続メッセージ（社団法人電信電話技術委員会  ＴＴＣ標準  ＪＴ−Ｑ９３１−ｂ  ＰＨＳ公衆用基地局−デジタル網間  インターフェース  レイヤ３仕様  準拠）にはメッセージ名の先頭にＮＷ（Ｎｅｔ  Ｗｏｒｋ）を付加して記述する。なお、ＲＴ（Ｒａｄｉｏ  Ｆｒｅｑｕｅｎｃｙ  Ｔｒａｎｓｍｉｓｓｉｏｎ  Ｍａｎａｇｅｍｅｎｔ）、ＭＭ（Ｍｏｂｉｌｉｔｙ  Ｍａｎａｇｅｍｅｎｔ）に関するメッセージは省略している。
【００３２】
図６に示した利用状況診断結果を送る通信はＰＨＳ端末１０がセンター４０からの発信を着信することで実現される。そのため、センター４０よりＰＨＳ端末１０に対して発信するため、センター４０よりＰＨＳ基地局２０に向けて呼設定（着サブアドレス付加）を送信する。呼設定にあらかじめ取り決めされた着サブアドレスを付加することにより、利用状況診断結果を受信するための通信であることをＰＨＳ端末１０が認識することができ、かつ、自動応答することが出来る。ＰＨＳ端末１０は呼設定を受けると呼設定受付を返す。ＰＨＳ端末１０に呼び出しがかかり、ＰＨＳ端末１０は自動で応答する。応答されるとＰＨＳ端末１０は利用状況診断結果を受信し、受信が完了したら、ＰＨＳ端末１０は切断し通信を終了する。
【００３３】
図７に示した設定結果を送る通信はＰＨＳ端末１０よりセンター４０に発信することで実現される。ＰＨＳ端末１０はＰＨＳ基地局２０に向けて呼設定を送信し呼設定受付を受ける。図７には呼び出しが記載されているが省略してもかまわない。ＰＨＳ端末１０は応答し設定結果を送信する。センター４０が設定結果を受信し終えると切断し通信を終了する。
【００３４】
図１２に示した着信履歴を送る通信は、利用状況診断結果を送る通信方法と同様なシーケンスであり、ＰＨＳ端末１０が位置登録を行われたあと、利用状況診断結果通信方法と同じ手順で通信する。
【図面の簡単な説明】
【００３５】
【図１】本発明の一実施形態のＰＨＳシステムの概略構成を示すブロック図。
【図２】図１に示すＰＨＳシステムにおける電源制御動作を示す情報処理シーケンス図。
【図３】図１に示すＰＨＳシステムのセンターにおける電源制御動作を示す情報処理フローチャート。
【図４】図１に示すＰＨＳシステムのＰＨＳ基地局における電源制御動作を示す情報処理フローチャート。
【図５】図１に示すＰＨＳシステムのＰＨＳ端末における電源制御動作を示す情報処理フローチャート。
【図６】図１に示すＰＨＳシステムにおける端末利用状況診断結果を通信する処理を表すシーケンス図。
【図７】図１に示すＰＨＳシステムにおける設定結果を通信する処理を表すシーケンス図。
【図８】図１に示すＰＨＳシステムにおけるＰＨＳ端末電源断中の着信履歴収集及び着信履歴表示に関する処理を表すシーケンス図。
【図９】図１に示すＰＨＳシステムにおけるＰＨＳ端末電源断中の着信履歴収集及び着信履歴表示に関する処理でセンターが行う処理の流れを示すフローチャート。
【図１０】図１に示すＰＨＳシステムにおけるＰＨＳ端末電源断中の着信履歴収集及び着信履歴表示に関する処理でＰＨＳ基地局が行う処理の流れを示すフローチャート。
【図１１】図１に示すＰＨＳシステムにおけるＰＨＳ端末電源断中の着信履歴収集及び着信履歴表示に関する処理でＰＨＳ端末が行う処理の流れを示すフローチャート。
【図１２】図１に示すＰＨＳシステムにおけるＰＨＳ端末電源断中の着信履歴を通信する処理を表すシーケンス図。
【図１３】図１に示すＰＨＳシステムに使用される画面を示す図。
【図１４】図１に示すＰＨＳシステムに使用される画面を示す図。
【図１５】図１に示すＰＨＳシステムにおいて収集される端末利用状況情報を示す図。
【図１６】図１に示すＰＨＳシステムのセンターにおける電源制御動作を示す情報処理フローチャート。
【符号の説明】
【００３６】
１０：ＰＨＳ端末、１１：利用状況診断結果格納部、１２：利用状況診断結果表示部、１３：設定結果送信部、１４：利用状況診断結果反映部、１５：着信履歴格納部、１６：着信履歴表示部、１７：位置登録部、２０：ＰＨＳ基地局、２１：利用状況診断結果通信部、２２：設定結果通信部、２３：着信履歴通信部、３０：公衆網、４０：センター、５０：ユーザー利用状況管理部、５１：利用状況情報収集部、５２：利用状況診断契機判定部、５３：利用状況診断部、５４：利用状況診断結果格納部、５５：利用状況診断結果送信部、５６：設定結果格納部、５７：着信履歴管理部、５８：位置登録管理部、５９：着信履歴送信部。
【図１】
2005079636.tif 000003
【図２】
2005079636.tif 000004
【図３】
2005079636.tif 000005
【図４】
2005079636.tif 000006
【図５】
2005079636.tif 000007
【図６】
2005079636.tif 000008
【図７】
2005079636.tif 000009
【図８】
2005079636.tif 000010
【図９】
2005079636.tif 000011
【図１０】
2005079636.tif 000012
【図１１】
2005079636.tif 000013
【図１２】
2005079636.tif 000014
【図１３】
2005079636.tif 000015
【図１４】
2005079636.tif 000016
【図１５】
2005079636.tif 000017
【図１６】
2005079636.tif 000018